(57)【要約】【課題】  選別部の側板に摺接する弾性変形可能なシール部材をシーブケースの側辺に沿って取付けるよう構成した脱穀装置の選別部構造において、シール部材を所定の姿勢に適切かつ容易に組付けることができるとともに、シール機能を確実に発揮させることができるようにする。【解決手段】  シール部材２２を、シーブケース側辺７ｓに沿う長さを有する取付け基部２２ａから選別部側板５ｓに摺接するリップ片２２ｂを片持ち状に延出して構成し、この取付け基部２２ａをコの字形断面に形成された支持枠２５に嵌入装着してシーブケース７の側辺７ｓに形成した取付け溝２３に嵌入止着し、シール部材２２を取付け溝２３に嵌入止着した状態において、支持枠２５の先端部ｐと取付け溝２３の開口端部ｑとでリップ片２２ｂの基部を挟持する。【選択図】        図３
2006050940.tif 000002
【特許請求の範囲】
【請求項１】
選別部の側板に摺接する弾性変形可能なシール部材をシーブケースの側辺に沿って取付けるよう構成した脱穀装置の選別部構造であって、
前記シール部材を、前記シーブケースの側辺に沿う長さを有する取付け基部から選別部の側板に摺接するリップ片を片持ち状に延出して構成し、このシール部材の前記取付け基部をコの字形断面に形成された支持枠に嵌入装着し、支持枠に嵌入保持されたシール部材の取付け基部をシーブケースの側辺に形成した取付け溝に嵌入止着し、シール部材を前記取付け溝に嵌入止着した状態において、前記支持枠の先端部と取付け溝の開口端部とで前記リップ片の基部が挟持されるように構成してあることを特徴とする脱穀装置の選別部構造。
【請求項２】
前記シーブケースの取付け溝の溝底に形成した取付け孔に圧入止着される連結用突起を前記シール部材の取付け基部に設けるとともに、前記支持枠には、前記連結用突起が係入される切欠き凹部を形成してある請求項１記載の脱穀装置の選別部構造。
【発明の詳細な説明】
【技術分野】
【０００１】
本発明は、選別部の側板に摺接する弾性変形可能なシール部材をシーブケースの側辺に沿って取付けるよう構成した脱穀装置の選別部構造に関する。
【背景技術】
【０００２】
上記シール部材は、処理物が選別部の側板とシーブケースとの間から洩れ落ちるのを防止するためにシーブケースの側辺に沿って装着されるものであり、例えば、特許文献１に示されているように、弾性樹脂材からなる角棒状の取付け基部からリップ片を片持ち状に延出して構成されたシール部材をシーブケースの側辺に形成した取付け溝に嵌入止着し、そのリップ片の先端部を選別部の側板に弾性変形状態で摺接させるようにしている。
【特許文献１】特開平１１−７５５０９号公報
【発明の開示】
【発明が解決しようとする課題】
【０００３】
上記構成のシール部材は細長くて柔軟な部品であるために、シーブケース側辺の取付け溝に嵌入する際に変形しやすく、組付けに手数がかかることがあった。また、組み付けられたシール部材のリップ片は、取付け溝から大きく露出した取付け基部から延出された状態にあるために、リップ片が根元から容易に屈曲変形しやすい状態にあり、上下移動量の大きいシーブケース後部においてはリップ片が下方に巻き込み変形されてシール機能が低下するおそれがあった。
【０００４】
本発明は、このような点に着目してなされたものであって、シール部材を所定の姿勢に適切かつ容易に組付けることができるとともに、シール機能を確実に発揮させることができるようにすることを目的としている。
【課題を解決するための手段】
【０００５】
第１の発明は、選別部の側板に摺接する弾性変形可能なシール部材をシーブケースの側辺に沿って取付けるよう構成した脱穀装置の選別部構造であって、
前記シール部材を、前記シーブケースの側辺に沿う長さを有する取付け基部から選別部の側板に摺接するリップ片を片持ち状に延出して構成し、このシール部材の前記取付け基部をコの字形断面に形成された支持枠に嵌入装着し、支持枠に嵌入保持されたシール部材の取付け基部をシーブケースの側辺に形成した取付け溝に嵌入止着し、シール部材を前記取付け溝に嵌入止着した状態において、前記支持枠の先端部と取付け溝の開口端部とで前記リップ片の基部が挟持されるように構成してあることを特徴とする。
【０００６】
上記構成によると、シール部材の組付けに際しては、先ず、シール部材の取付け基部をコの字形断面に形成された支持枠に嵌入装着してシール部材全体を保形し、次いで、シール部材をシーブケースの取付け溝に嵌入して止着する。この場合、シール部材は支持枠によって棒状に保形されていて勝手に屈曲変形しない状態となっているので、取扱いやすく、かつ、取付け溝への嵌入を速やかに行うことができる。
【０００７】
また、組付けが完了した状態では、支持枠の先端部と取付け溝の開口端部とでリップ片の基部が挟持されるので、リップ片の突出姿勢が安定し、シーブケースが上下に大きく移動してもリップ片が巻き込み変形され難い状態となる。
【０００８】
従って、第１の発明によると、シール部材を所定の姿勢に適切かつ容易に組付けることができるとともに、シール機能を確実に発揮させることができ、シーブケース側辺と選別部側板との間から処理物の洩れ落ちのない良好な揺動選別を行うことができる。
【０００９】
第２の発明は、上記第１の発明において、
前記シーブケースの取付け溝の溝底に形成した取付け孔に圧入止着される連結用突起を前記シール部材の取付け基部に設けるとともに、前記支持枠には、前記連結用突起が係入される切欠き凹部を形成してあるものである。
【００１０】
上記構成によると、支持枠によって棒状に保形されたシール部材の所定位置に連結用突起が所定の方向に向いて突出されることになり、取付け溝の溝底に形成した取付け孔に連結用突起を容易に圧入することができ、組付け作業性が高いものとなる。
【発明を実施するための最良の形態】
【００１１】
図１に、自脱型コンバインに搭載される脱穀装置の縦断した側面図が示されている。この脱穀装置は、図外左方の刈取り部からで搬送されてきた横倒れ姿勢の刈取り穀稈をフィードチェーン１で受取り、その穂部を扱室２に挿入した状態で図中左方から右方に通過搬送することで、扱室２に前後水平に軸支した扱胴３によって脱穀処理し、穀稈から分離した処理物を扱室下部に沿って張設した受網４で選別し、受網４を漏下した処理物を扱室２の下方に配備された選別部５の前半部に落下供給するとともに、受網４を漏下しなかった処理物を扱室終端の送塵口６から搬出して選別部５の前後中間部に落下供給し、選別部５に落下供給された処理物を前後に長いシーブケース７で受け止め、載置した処理物を後方（図１では右方）に向けて揺動搬送しながら粗選別用の前部チャフシーブ８、精選別用のグレンシーブ９、ほぐし用の選別ラック１０、後部チャフシーブ１１、ストローラック１２、などを利用して篩い選別するとともに、選別部前端部に備えた唐箕１３から後方上方に向けて選別風を供給して風選処理し、グレンシーブ９から漏下した穀粒を１番回収部１４に、また、後部チャフシーブ１１やストローラック１２から漏下した２番物を２番回収部１５にそれぞれ選別回収し、１番回収部１４に回収した１番物（穀粒）を１番スクリュー１６によって機外にまで横送りした後、穀粒タンクなどの回収部に供給し、２番回収部１５に回収した２番物を２番スクリュー１７によって横送りした後、シーブケース７の前部に還元供給して再選別処理を行うように構成されている。
【００１２】
また、扱室２の後方で選別部５の後部上方箇所には、排ワラ搬送経路の下側に位置させて横断流ファンからなる排塵ファン１８が横架されており、扱室２の終端に形成された送塵口６から吹き出てきた浮塵やワラ屑、選別風によって選別部５の後部上方に吹き上げられた浮塵やワラ屑が排塵ファン１８に吸引されて強制的に機体後方に排出されるようになっている。また、前記排塵ファン１８の上方には排ワラ搬送装置１９が配備されており、扱室２から搬出されてきた排ワラが後方かつ穂先側に向けて斜め搬送され、図示されていない排ワラカッタや排ワラ結束装置などの排ワラ処理装置に供給されるようになっている。
【００１３】
前後および上下に揺動される前記シーブケース７は樹脂成形されたものであり、このシーブケース７の前側辺７ｆと左右側辺７ｓには、選別部５における前側板５ｆおよび左右の側板５ｓとシーブケース７との間から処理物が洩れ落ちるのを防止するシール部材２１，２２が取付けられている。
【００１４】
シーブケース７の前側辺７ｆに取付けられるシール部材２１は、樹脂シート材、あるいは、樹脂コートした布材、等からなる前後広幅の弾性シート材からなり、シーブケース７の前後移動および上下移動にかかわらず前側板５ｆとシーブケース前側辺７ｆとの間を閉塞するよう前側辺７ｆにボルト締め連結されている。
【００１５】
シーブケース７の左右側辺７ｓに沿って取付けられるシール部材２２は、弾性変形可能な樹脂材で前後に長く成形されたものであり、図３，４に示すように、角棒状の取付け基部２２ａから斜め上方に向けてリップ片２２ｂが片持ち状に延出されるとともに、取付け基部２２ａの内側面に長手方向に所定間隔をもって複数個の連結用突起２２ｃが一体突設されている。
【００１６】
他方、シーブケース７における左右の側辺７ｓの上端部には横外方に向けて開口した取付け溝２３が形成されるとともに、その溝底には前記連結用突起２２ｃを貫通止着する取付け孔２４が形成されている。
【００１７】
上記構成のシール部材２２は支持枠２５で保形した上でシーブケース７の取付け溝２３に組付けられる。この支持枠２５は金属板を上向きコの字形断面に屈曲して構成されたものであり、シール部材２２における取付け基部２２ａを支持枠２５に上方から嵌入することで、取付け基部２２ａにおける外側面、内側面、および、下面の三面が支持枠２５で密着支持されて、シール部材２２全体が棒状に保形されるようになっている。ここで、支持枠２５の内側辺には上方に開口した切欠き凹部２６が形成され、ここに連結用突起２２ｃが係入されるようになっている。
【００１８】
また、前記支持枠２５における外側辺の先端部ｐがリップ片２２ｂの基部下面に沿って屈曲延出されるとともに、取付け溝２３の外側の開口端部ｑがリップ片２２ｂの基部上面に沿って屈曲延出されており、リップ片２２ｂの基部が外側辺の先端部ｐと取付け溝２３の開口端部ｑとによって挟持されて所定の向きの突出姿勢に保持されるようになっている。
【００１９】
このようにシーブケース７における左右側辺７ｓの上端部に取付けられたリップ片２２ｂは、左右両側方向の弾性変形は容易で選別部５の側板５ｓに沿って変形圧接されて好適なシール機能を発揮するが、基部が上下から挟持されて保形されているので下方への巻き込み変形がしにくいものとなっている。
【００２０】
〔他の実施例〕
【００２１】
（１）図５に示すように、シーブケース７における左右側辺７ｓの上端部に取付け溝２３を上方に向けて形成して実施することもできる。この場合は、リップ片２２ｂの基部が支持枠２５の先端部ｐと取付け溝２３の下側の開口端部ｑとで上下から挟持されて保形されることになる。
【００２２】
（２）シーブケース７の前側辺７ｆに取付けられるシール部材２１を、左右側辺のシール部材２２と同様に嵌め込み連結することもできる。
【図面の簡単な説明】
【００２３】
【図１】脱穀装置の縦断側面図
【図２】シーブケースの平面図
【図３】シーブケース側辺におけるシール部材の取付け部を示す縦断正面図
【図４】シール部材取付け構造を示す分解斜視図
【図５】別実施例におけるシール部材の取付け部を示す縦断正面図
【符号の説明】
【００２４】
５                選別部
５ｓ              側板
７                シーブケース
７ｓ              側辺
２２              シール部材
２２ａ            取付け基部
２２ｂ            リップ片
２２ｃ            連結用突起
２３              取付け溝
２４              取付け孔
２５              支持枠
２６              切欠き凹部
ｐ                支持枠の先端部
ｑ                取付け溝の開口端部
【図１】
2006050940.tif 000003
【図２】
2006050940.tif 000004
【図３】
2006050940.tif 000005
【図４】
2006050940.tif 000006
【図５】
2006050940.tif 000007